(57)【要約】【課題】位置センサによる指針位置検出動作における電力消費を軽減できる電波修正時計と電波修正時計の制御方法を提供すること。【解決手段】電波修正時計は、制御回路および位置センサ７、光量制御部８とを備えている。位置センサ７は、発光素子７１および受光素子７２を備える。光量制御部８は、スイッチ８１〜８３および抵抗８４〜８６を備える。制御回路は、光量制御部８の各スイッチ８１〜８３の一つをＯＮとすることで位置センサ７の発光素子７１を駆動させる。この際、状況にあわせて各スイッチ８１〜８３を切り換えることで、発光素子７１の光量レベルも切り替わり、電力消費の軽減を図ることができる。【選択図】図３
2004279033.tif 000002
【特許請求の範囲】
【請求項１】
基準信号を生成する基準信号生成手段と、この基準信号に基づいて現時刻を計時する計時手段と、この計時された現時刻を指針により表示する現時刻表示手段と、現時刻を表示する指針を駆動させる指針駆動手段と、時刻情報を含んだ標準電波を受信する受信手段と、前記受信手段で受信した時刻情報に基づいて前記計時手段の現時刻を修正する現時刻修正手段とを備えた電波修正時計であって、
前記指針が規定の位置であることを検出する複数の光量レベルを切替えられる発光素子および前記発光素子の発する光を受光する受光素子を有する位置センサと、
前記位置センサの駆動タイミングを制御する制御手段と、
前記発光素子の光量レベルを制御する光量制御手段とを備えたことを特徴とする電波修正時計。
【請求項２】
請求項１に記載の電波修正時計において、
前記制御手段は、前記位置センサにより、前記指針が規定の位置にあることを検出した場合は、前記光量制御手段を介して、次回検出動作時の前記発光素子の光量レベルを下げることを特徴とする電波修正時計。
【請求項３】
請求項２に記載の電波修正時計において、
前記制御手段は、前記位置センサにより、前記指針が規定の位置にあることを、複数回連続して検出した場合は、前記光量制御手段を介して、次回検出動作時の前記発光素子の光量レベルを下げることを特徴とする電波修正時計。
【請求項４】
請求項１から請求項３のいずれかに記載の電波修正時計において、
前記制御手段は、前記位置センサにより、前記指針が規定の位置にあることを検出できなかった場合は、前記光量制御手段によって、前記発光素子の光量レベルを上げ、再度、前記位置センサを駆動させることを特徴とする電波修正時計。
【請求項５】
請求項１から請求項４のいずれかに記載の電波修正時計において、
前記制御手段は、複数の光量レベルを持つ前記発光素子が、最大の光量レベルでも前記指針が規定の位置にあることを検出することができなかった場合は、前記発光素子を駆動させた状態で、前記指針を、前記位置センサが検出するまで、または、前記指針が一周するまで、早回しで回転させることを特徴とする電波修正時計。
【請求項６】
基準信号を生成する基準信号生成手段と、この基準信号に基づいて現時刻を計時する計時手段と、この計時された現時刻を指針により表示する現時刻表示手段と、現時刻を表示する指針を駆動させる指針駆動手段と、時刻情報を含んだ標準電波を受信する受信手段と、前記受信手段で受信した時刻情報に基づいて前記計時手段の現時刻を修正する現時刻修正手段とを備えた電波修正時計の制御方法であって、
前記指針が規定の位置であることを検出する複数の光量レベルを切替えられる発光素子および前記発光素子の発する光を受光する受光素子を有する位置センサを備え、
前記位置センサによる前記指針位置の検出結果によって、前記発光素子の光量レベルを変更することを特徴とする電波修正時計の制御方法。
【発明の詳細な説明】
【０００１】
【発明の属する技術分野】
本発明は、電波修正時計および電波修正時計の制御方法に関する。
【０００２】
【背景技術】
表示時刻を自動修正する自動修正時計としては、日本標準時の情報を標準時刻電波として受信し、その時刻コードに基づいて表示時刻を自動修正する電波修正時計が知られている。
【０００３】
指針を駆動するアナログ式の電波修正時計においては、振動や外部磁界等の影響により指針の送りにミスが生じると、内部の針位置カウンタと実際の指針の位置に狂いが生じ、時刻コードを受信しても、これを正しく表示できないことがある。そこで指針の位置と針位置カウンタの値が一致しているかどうかを確認するため、指針の位置検出を行う必要がある。
【０００４】
この種の電波修正時計における指針位置検出手段としては、発光素子と受光素子を備える光センサを利用したものが知られている（例えば特許文献１〜３）。これらの指針位置検出手段は、位置センサの発光素子と受光素子の間に、指針の回転に連動して動く部材が配置されており、これらの部材には、特定の位置に検出光が通るための孔が設けられている。この孔を検出光が通り、受光素子が受光すると、前記指針が特定の位置にあることが検出できる。
【０００５】
【特許文献１】
特開２０００−３５４８９号公報
【特許文献２】
特開２００２−７１８４６号公報
【特許文献３】
特開２００２−３５７６７８号公報
【０００６】
【発明が解決しようとする課題】
しかしながら、発光素子や受光素子は電源変動や温度などにも影響を受けやすい為、光を用いた位置センサの発光素子の光量は、どのような条件下の使用でも検出ができるように、常に余裕を持った高めの設定が必要とされた。このため時計の消費電力が多くなり、電池寿命が短くなるという問題があった。
【０００７】
本発明はこのような問題に鑑みて、指針位置検出動作における電力消費を軽減することができる電波修正時計および電波修正時計の制御方法を提供することを目的とする。
【０００８】
【課題を解決するための手段】
本発明の電波修正時計では、基準信号を生成する基準信号生成手段と、この基準信号に基づいて現時刻を計時する計時手段と、この計時された現時刻を指針により表示する現時刻表示手段と、現時刻を表示する指針を駆動させる指針駆動手段と、時刻情報を含んだ標準電波を受信する受信手段と、前記受信手段で受信した時刻情報に基づいて前記計時手段の現時刻を修正する現時刻修正手段とを備えた電波修正時計であって、前記指針が規定の位置であることを検出する複数の光量レベルを切替えられる発光素子および前記発光素子の発する光を受光する受光素子を有する位置センサと、前記位置センサの駆動タイミングを制御する制御手段と、前記発光素子の光量レベルを制御する光量制御手段とを備えたことを特徴とするものである。
【０００９】
本発明では、前記発光素子の光量レベルを制御できる前記光量制御手段を備えているので、使用環境に応じた光量レベルの調整を行うことができる。従って、検出動作における電力消費を軽減でき、かつ、指針位置検出の精度を高めることができる。例えば、針位置カウンタの分情報が００分を示す値の時に針位置検出動作を開始し、分針の位置を検出できれば、次回は光量レベルを下げて検出動作を行っても検出が成功することが考えられるので、光量レベルを下げればよい。これにより検出動作における電力消費を軽減することができる。また、検出ができなかった場合は、その場の環境によって光量レベルが足りない可能性を考慮して、光量レベルを上げて検出動作を行う。これにより、光量レベルが不足して検出することができなかったのか、前記指針の位置がずれていて検出できなかったのかを判断でき、指針位置検出の精度を高めることができる。
【００１０】
本発明の電波修正時計で、前記制御手段は、前記位置センサにより、前記指針が規定の位置にあることを検出できた場合は、次回の検出動作の際に、前記光量制御手段によって、前記発光素子の光量レベルを下げる構成が好ましい。
本発明では、針位置検出動作において、ある光量レベルで針位置を検出できた場合は、次回の針位置検出時に前記発光素子の光量レベルを下げる。つまり、針位置検出動作において、前記発光素子の出力を下げることで、更なる電力消費の軽減を図ることができる。なお、本発明において、光量レベルを下げる条件は、何ら限定をするものではなく、一回の針位置検出で下げても良いし、複数回検出できれば下げるとしても良い。さらに、複数回とは、連続して検出した場合でも良いし、連続しなくても所定の回数をカウントしたら下げるとしても良い。
【００１１】
本発明の電波修正時計で、前記制御手段は、前記位置センサにより、前記指針が規定の位置にあることを、複数回連続して検出できた場合は、次回検出動作の際に、前記光量制御手段によって、前記発光素子の光量レベルを下げる構成が好ましい。
本発明では、前記発光素子が同一の光量レベルで、規定回数連続で針位置検出に成功した際に、前記発光素子の光量レベルを下げる。つまり、一回の検出成功では、その前記発光素子の光量レベルで安定して検出可能かが判断しづらい。例えば、一回の成功ですぐに光量レベルを下げてしまい、次の針位置検出の際には失敗してしまうと、結果としてもう一度光量レベルを上げて検出動作を行うことになる。これを何度も繰り返すと電池消費の軽減にはならない。複数回連続で針位置検出に成功すれば、その光量レベルで安定して検出を行うことが確認できる。安定して検出できてはじめて光量レベルを下げることで、何度も同じ検出動作ミスを繰り返さないようにでき、更なる電力消費の軽減が可能となる。
【００１２】
本発明の電波修正時計で、前記制御手段は、前記位置センサにより、前記指針が規定の位置にあることを検出できなかった場合は、前記光量制御手段によって、前記発光素子の光量レベルを上げ、再度、前記指針の位置を検出する動作を行う構成が好ましい。
本発明では、前記指針が本来検出できる位置にあるにもかかわらず針位置検出ができなかった場合、光量レベルが低く、前記発光素子の光が前記受光素子に届いていないということが考えられる。よって、光量レベルを上げたうえで、再度、検出動作を行うことで、光量レベルが不足して検出ができなかったのか、前記指針の位置がずれていて検出ができなかったのかを判断でき、針位置検出動作の精度を上げることができる。
【００１３】
本発明の電波修正時計で、前記制御手段は、複数の光量レベルを持つ前記発光素子が、最大の光量レベルを用いても前記指針の位置検出ができなかった場合は、前記発光素子を駆動させた状態で、前記指針を、前記位置センサが検出するまで、または、前記指針が一周するまで、早回しで回転させる構成が好ましい。
また、発光素子の駆動は連続駆動ではなく指針の駆動後、指針の位置が確定してから駆動するパルス駆動が好ましい。
本発明では、前記発光素子の光量レベルが最大の状態でも指針の位置を検出できない場合、検出できるまで指針を早回しで動かす。これは、針位置を検出できない理由が前記発光素子の光量レベルが足りないせいではなく、指針そのものの位置がずれていると判断できるからである。また、前記指針を早回しすることで針位置を検出できれば、その時点で前記指針の早回しは終了する。これにより、前記指針の位置ずれを直すことができる。また、前記指針が一周しても針位置を検出できなかった場合は、一周した時点で前記指針の早回しを終了する。これにより、針位置検出を行えない理由が前記指針の位置がずれているからではなく、前記位置センサへの電力供給不足、または前記位置センサの物理的な故障であると予測することができる。
【００１４】
本発明の電波修正時計の制御方法では、基準信号を生成する基準信号生成手段と、この基準信号に基づいて現時刻を計時する計時手段と、この計時された現時刻を指針により表示する現時刻表示手段と、現時刻を表示する指針を駆動させる指針駆動手段と、時刻情報を含んだ標準電波を受信する受信手段と、前記受信手段で受信した時刻情報に基づいて前記計時手段の現時刻を修正する現時刻修正手段とを備えた電波修正時計の制御方法であって、前記指針が規定の位置であることを検出する複数の光量レベルを切替えられる発光素子および前記発光素子の発する光を受光する受光素子を有する位置センサを備え、前記位置センサによる前記指針位置の検出結果によって、前記発光素子の光量レベルを変更することを特徴とするものである。
【００１５】
本発明では、前記位置センサにおける指針の位置検出動作における検出結果によって、前記発光素子の光量レベルを変更することができる。例えば、指針の位置を検出できた場合は、前記発光素子の光量レベル下げ、指針の位置を検出できなかった場合は、前記発光素子の光量レベルを上げるといったように状況に応じて変更をすることができる。このことにより、上述した電波修正時計と同様の作用効果を享受する。
【００１６】
【本発明の実施の形態】
以下、本発明の実施の形態を図面に基づいて説明する。
図１は、本発明における電波修正時計１の構成を示す図である。
【００１７】
この電波修正時計１は、受信手段としての受信部２と、基準信号生成手段としての基準信号生成部３と、現時刻表示手段としての時刻表示部４と、制御部５と、針位置検出部６とを備えて構成されている。
【００１８】
受信部２は、時刻情報を含んだ標準電波を受けるアンテナ２１と、アンテナ２１で受けた時刻情報を処理（増幅、復調等）する受信回路２２と、受信回路２２で処理された信号から時刻情報をデコードするデコード回路２３と、受信回路２２に電力を供給する受信電源回路２４とを備えて構成されている。
【００１９】
アンテナ２１は、フェライト棒にコイルを巻いたフェライトアンテナ等で構成されている。
受信回路２２は、図示しない増幅回路、バンドパスフィルタ、復調回路を備え、受信した電波を波形整形し、復調して時刻コードを表す矩形パルスとしてデコード回路２３に出力する。デコード回路２３は、このパルス信号を変換し、デジタルデータからなる時刻情報（タイムコード）として制御部５に出力する。
【００２０】
ここで、時刻情報を含んだ標準電波としては、日本の長波標準電波（ＪＪＹ）などが利用できる。この長波標準電波のタイムコードフォーマットでは、１秒ごとに一つの信号が送信され、１分（６０秒）で１レコード（１フレーム）として構成されている。つまり、１フレームが６０ビットのデータである。また、データ項目として現時刻の分、時、現在年の１月１日からの通算日、年（西暦下２桁）、曜日およびうるう秒が含まれている。なお、秒の項目がないが、これは時刻情報が毎分０秒の時刻データであるためである。各項目の値は、各秒毎に割り当てられた数値の組み合わせによって構成され、この組み合わせのＯＮ、ＯＦＦが信号の種類から判断される。
【００２１】
基準信号生成部３は、水晶振動子などを含んで構成される発振回路３１と、この発振回路３１からのパルスを分周して基準クロック（１Ｈｚ等）を生成する分周回路３２から構成されている。生成された基準クロックは制御部５に出力される。
【００２２】
時刻表示部４は、制御部５から出力される信号に基づいて指針４３を駆動し、時刻を表示する。この時刻表示部４は、図２に示すように、モータ駆動回路４１と、モータ駆動用コイル４２と、指針４３とを備えて構成されている。なお、本発明においては、モータ駆動回路４１とモータ駆動用コイル４２とで指針駆動手段が構成されている。
モータ駆動回路４１は、具体的な図示は省略するが、制御部５からの信号を利用して駆動パルスを発生する駆動パルス発生回路と、駆動パルスをモータ駆動用コイル４２に印加するモータドライバとを備えて構成されている。そして、このモータ駆動回路４１は、指針４３を駆動するモータ駆動用コイル４２にモータ駆動パルスを出力し、指針４３をステップ運針するように構成されている。また、このモータ駆動パルスに同期した信号が、制御部５の針位置カウンタ５３に出力され、制御回路５４は、指針４３の表示時刻を認識する。
【００２３】
制御部５は、電波修正時計１全体の動作を制御する。この制御部５は、図２に示すように、現時刻を計時する計時手段としての時刻カウンタ５１と、現時刻修正手段としての時刻カウンタ制御回路５２と、針位置カウンタ５３と制御手段としての制御回路５４とを備えて構成されている。
時刻カウンタ５１は、基準信号生成部３と接続し、基準信号生成部３で生成された基準信号（基準クロック）をカウントして現時刻を計時する。
【００２４】
時刻カウンタ制御回路５２は、デコード回路２３でデコードした時刻情報が正確であるか否かを判断し、正確であると判断するとその時刻情報に基づいて時刻カウンタ５１の現時刻を修正する。受信した時刻情報が正確であるか否かは、例えば、長波標準電波であれば、１分間隔で送信されてくる時刻情報を複数フレーム（通常は、２〜３フレーム）受信し、受信した各時刻情報が所定の時刻差になっているか否かで判断する。例えば、各時刻情報を連続して受信した場合は、各時刻情報が１分間隔の時刻情報になっているか否かで判断する。
【００２５】
針位置カウンタ５３は、モータ駆動回路４１から出力される駆動パルスに同期した信号が入力され、駆動パルスで指針４３が運針するたびに、カウントアップする。このため、指針４３の運針に応じて針位置カウンタ５３のカウンタ値も変化し、針位置カウンタ５３のカウンタ値が指針４３の位置と対応するようになっている。
【００２６】
制御回路５４は、受信部２、時刻表示部４および針位置検出部６の動作を制御する。
時刻表示部４の制御として、制御回路５４は、通常は、常に時刻カウンタ５１のカウンタ値と針位置カウンタ５３のカウンタ値とを比較し、これらのカウンタ値が一致するように、モータ駆動回路４１に信号を出力し、指針４３にて表示する時刻を更新する。
また、受信部２の受信動作の制御として、制御回路５４は、所定の周期で受信部２に動作信号を送り、受信動作を実施させる。
制御回路５４は、受信部２より時刻情報が受信され、時刻カウンタ制御回路５２にて時刻カウンタ５１のカウンタ値が修正された際に、時刻カウンタ５１のカウンタ値と針位置カウンタ５３のカウンタ値とを比較する。そして、これらのカウンタ値に誤差が生じている場合に、モータ駆動回路４１に適宜信号を出力し、指針４３にて表示する時刻を修正する。
また、針位置検出部６の動作制御として、この制御回路５４は、針位置カウンタ５３より受け取った針位置情報を元に、針位置検出部６へ針位置検出動作開始および、光量レベル切り換えを指示する制御信号ＣＳを送る。さらに、針位置検出部６より検出結果の出力ＳＯを受け取る。
【００２７】
針位置検出部６は、指針４３の指針位置の検出を行う。この針位置検出部６は、図３に示すように、指針４３の位置検出を行う位置センサ７と、光量制御手段としての光量制御部８とを備えて構成されている。
【００２８】
位置センサ７は、発光素子７１と受光素子７２から構成され、発光素子７１からの光を受光素子７２が受光することで、指針４３の位置を検出する。発光素子７１と受光素子７２との間には、図示では省略しているが、指針４３の回転に連動して動く部材が配置されており、これらの部材には、特定の位置に検出光が通るための孔が設けられている。この孔を検出光が通り、受光素子が受光すると、指針４３が所定の位置にあることが検出できる。なお、所定の位置とは、通常、時針は０時、分針は０分、秒針は０秒である場合を指す。
【００２９】
光量制御部８は、針位置検出動作の際に発光素子７１の光量レベルの制御を行う。光量制御部８は、スイッチ８１、スイッチ８２、スイッチ８３と各スイッチ８１〜８３に接続されている各抵抗８４、８５、８６とを有する。各抵抗８４〜８６の抵抗値の関係を、Ｒ４＜Ｒ５＜Ｒ６、とする。光量制御部８は制御回路５４からの入力信号ＣＳを元に、各スイッチ８１〜８３のＯＮ、ＯＦＦを行い、発光素子７１の光量レベルを制御する。この際、より抵抗値が低い抵抗に繋がっているスイッチがＯＮとなることで、発光素子７１の光量レベルが高くなる。つまり、この光量制御部８は、発光素子７１の光量レベルを３段階で調整することができる。また、制御回路５４は、スイッチ８１〜８３の全てがＯＦＦとなって発光素子７１が駆動していない状態と、各スイッチ８１〜８３のうちの一つがＯＮになり、発光素子７１が駆動している状態の計四つの状態に、光量制御部８を制御する。
これらのスイッチ８１〜８３のいずれかがＯＮになると、位置センサ７は指針４３の位置検出を行う。位置検出動作の結果（ＳＯ）は、制御回路５４へ出力される。
【００３０】
このような構成からなる電波修正時計１の針位置検出と光量制御の動作を、分針を例にして、図４、図５のフローチャートを参照して説明する。また、このフローチャートにおける動作は、時針や秒針を検出する際にも適用できる。
この針位置検出動作において、電波修正時計１の電源投入後、初めての検出動作の際は、フラグを０に設定される。フラグは、針位置検出動作に成功した場合に加算されていき、前回の検出動作の結果におけるフラグの値は、次回の針位置検出時に持ち越される（以下、フラグをＦと略す）。また、最初の針位置検出においては、発光素子７１の光量レベルは三段階の一番上のレベルで始まるように設定されている。ただし、初期動作における光量レベルは、三段階の一番下、または中間のレベルからでも良い。
【００３１】
針位置検出処理はまず針位置カウンタ５３の分針情報が００分であるか否かを判定する（ステップ１、以下ステップをＳと略す）。ここで針位置カウンタ５３の分針情報が００分でない場合、針位置検出動作は行われずに終了となる（Ｓ９）。
一方、針位置カウンタ５３の分針情報が００分であれば、発光素子７１の電源をＯＮとし、針位置検出動作を開始する（Ｓ２）。
【００３２】
次に針位置検出が成功したか否かを判定する（Ｓ３）。Ｓ３において、「Ｙ」と判定された場合、つまり、針位置を検出することができた場合、発光素子７１の電源をＯＦＦにする（Ｓ４）。
【００３３】
現在、初めての検出動作であるので、Ｆ＝０である（Ｓ５）。よってＳ５において、「Ｎ」と判定され、また、針位置検出動作に成功したことから、Ｆに１が加算される（Ｓ１６）。以上で一回目の針位置検出動作は終了となる（Ｓ９）。
【００３４】
次に６０分が経過し、針位置カウンタ５３の分針情報が再び００分になったら、再度、同様の針位置検出動作を行う。ここで連続して針位置検出に成功し、Ｆ＝２となった状態で、さらに６０分後に針位置検出に成功した場合、Ｓ５において「Ｙ」と判定され、現時点での発光素子７１の光量レベルを判定する（Ｓ６）。
ここで、「Ｎ」と判定された時、つまり、発光素子７１の光量レベルが最低レベルではない時は、光量レベルを一段階下げる（Ｓ７）。光量レベルを下げるというのは、具体的には、次回の針位置検出動作の際に、より抵抗値の高い抵抗に繋がったスイッチをＯＮとする信号を、制御回路５４から発信するということである。
一度、光量レベルを下げる動作を行ったら、ここまでのＦの値を０にする（Ｓ８）。この後も三回連続して針位置検出に成功すると、さらに発光素子７１の光量レベルを下げ、やがて発光素子７１の光量レベルは最低レベルとなる。また、最低レベルで三回連続して検出に成功すると、Ｓ６において「Ｙ」と判定されるため、光量のレベルダウンは行われずに、針位置検出動作を終了する（Ｓ９）。
【００３５】
また、Ｓ３において「Ｎ」と判定された場合、つまり、針位置検出ができなかった場合は、まずその時点でのＦの値を０に戻す（Ｓ１０）。Ｆの値は連続して何回検出動作に成功しているかを示している数値だからである。次に発光素子７１の光量レベルを判定する（Ｓ１１）。Ｓ１１において、「Ｎ」と判定された場合、つまり、光量レベルが最高ではなかった場合、光量レベルを一段階あげる（Ｓ１２）。そして再度、針位置検出動作を行う（Ｓ１３）。次に針位置検出動作の結果を判定する（Ｓ１４）。ここで「Ｙ」と判定された場合、つまり、針位置検出に成功した場合、発光素子７１の電源をＯＦＦにし（Ｓ１５）、Ｆに１を加算して（Ｓ１６）、検出動作を終了する（Ｓ９）。
【００３６】
一方で、Ｓ１４において、「Ｎ」と判定された場合、すなわち、針位置検出ができなかった場合、Ｓ１１へ戻ることになる。ここでＳ１１において、「Ｙ」と判定された場合、つまり、光量レベルが最高であるにもかかわらず、針位置検出ができなかった場合、初期位置検出へと移ることになる。なお、Ｓ１３における検出動作は、６０分後ではなく、針位置カウンタ５３の分針の値が００分である１分間に連続して行われる。
【００３７】
初期位置検出とは、分針の位置検出ができなかった原因が、実際の針位置と針位置カウンタによる針位置のずれによる可能性があるため、そのずれを修正するための動作であり、具体的には図５のフローチャートのように動作する。
初期位置検出処理では、まず、発光素子７１の光量レベルを最高にする（Ｓ１７）。次に針位置検出動作を開始する（Ｓ１８）が、ここからは、発光素子７１は、継続して発光したまま、検出動作を行う。
【００３８】
次に、分針の早送り動作を行う（Ｓ１９）。これは、実際の分針の位置が、針位置カウンタ５３の示す位置と違うために、どこにあるのかわからないので、分針を回すことで、針位置検出ができる位置を探すためである。
次に、検出動作の成否を判定する（Ｓ２０）。ここで「Ｙ」と判定された場合、つまり、針位置検出ができた場合は、針位置カウンタ５３の分針情報を００分にリセットする（Ｓ２１）。これは、針位置を検出できる位置が、分針が０分を指す時であるため、そのずれを直したことで、実際の分針と針位置カウンタ５３の値を合わせたことになる。
【００３９】
次に、Ｆの値を２とする（Ｓ２２）。これは、針位置を検出できなかった理由が、光量レベルの不足ではなく、針位置のずれであったため、次回に問題なく針位置検出ができれば、発光レベルが一段階落ちるようにするためである。
次に、早送りで回していた分針を止める（Ｓ２３）。針位置検出ができたので、その時点で針の早送りを止める。
次に、発光素子７１の電源をＯＦＦにし（Ｓ２４）、ついで、検出を終了する（Ｓ２６）。
【００４０】
Ｓ２０において、「Ｎ」と判定された場合、つまり、針位置検出ができなかった場合、分針が一周したかどうかを分針の早送りパルス数をカウントすることなどで判定する（Ｓ２５）。ここで、「Ｎ」と判定された場合、つまり、まだ分針が一周していない場合は、針位置検出動作を継続する。
一方、Ｓ２５で、「Ｙ」と判定された場合、つまり、分針を一周回しても針位置を検出できなかった場合、分針の早送り動作を終了し（Ｓ２３）、発光素子の電源をＯＦＦにし（Ｓ２４）、検出動作を終了する（Ｓ２６）。
【００４１】
ここで、分針が一周回っても検出できなかった場合は、発光素子７１を発光させるだけの電力が供給されていない、つまり、電池が切れ掛かっている、または、位置センサ７自体が故障していることが考えられる。
従って、電池の消耗、または、位置センサ７の故障が考えられる場合、秒針を三秒ごとに一気に三秒動かす動作を行い、使用者に電池の消耗、または内部の故障を伝達する。
【００４２】
このような実施の形態によれば、次の効果を奏することができる。
（１）制御回路５４および光量制御部８を設けたので、針位置検出が成功すれば発光素子７１の光量レベルを下げ、針位置検出に失敗すれば光量レベルを上げることができ、電力消費の軽減や、針位置検出動作の精度を上げることができる。
【００４３】
（２）制御回路５４は、発光素子７１の光量レベルを下げる際に、安易に発光レベルを下げるようなことはせず、連続して三回針位置検出が行えることを確認した後に、光量レベルを下げているので、光量レベルを下げた後、即座に上げなければならなくなるといった可能性を少なくする。これによって、更なる電力消費の低減を図ることができる。
【００４４】
（３）制御回路５４は、針位置検出の結果、検出が行えなかった場合に、発光素子７１の光量レベルを一段階上げ、即座に、再検出動作を行っているので、必要な時に光量レベルを上げることができて、更なる電力消費の低減と、針位置検出動作の精度の向上を図ることができる。
【００４５】
（４）発光素子７１の光量レベルを最大レベルにしても針位置検出ができなかった場合、検出動作を継続しながら、指針４３を早回しする初期位置検出処理を行うので、指針４３の位置を確実に検出でき、針位置カウンタ５３の値と指針４３とのずれを自動的に修正することができる。
【００４６】
（５）初期位置検出処理において、指針４３を一周早送りで回しても位置を検出できない場合、電池の消耗による発光素子７１への電力供給不足、または、位置センサ７の物理的な故障を予測することができる。従って、三秒ごとに三秒一気に秒針を動かすといった異常を知らせる表示をすることで、使用者に電池交換、または修理を促すことができる。
【００４７】
（６）初期位置検出処理において、指針４３のずれを修正することで検出ができた場合、発光素子７１の光量不足ではないので、Ｆの値を２とした上で、次の針位置検出動作において検出できれば、すぐに光量レベルを下げる構成とすることで、電力消費の軽減を図ることができる。
【００４８】
〔実施形態の変形〕
以上、本発明について好適な実施形態を挙げて説明したが、本発明は、これらの実施形態に限定されるものではなく、本発明の要旨を逸脱しない範囲において種々の改良ならびに設計の変更が可能である。
【００４９】
前記実施形態では、光量制御部８における光量レベルを三段階で例示しているが、これに限らず、光量レベルの段階は二段階または四段階以上でも構わない。また、前記実施形態では、位置センサ７は発光素子７１と受光素子７２が別々のものを使用しているが、受発光素子が一体となった位置センサを使用しても構わない。
【００５０】
また、前記実施形態では、動作フローにおいて、三回連続して針位置を検出することができれば発光素子７１の光量レベルを下げているが、これに限らず、発光レベルを下げる条件は二回以下でも四回以上でも構わない。さらに、連続での検出でなくても構わない。
【００５１】
また、前記実施形態では、指針４３の位置がずれていた場合、発光素子７１の光量レベルが不足していたわけではないので、次回の検出動作の際に、光量レベル最高で検出動作を行うのではなく、光量レベルを下げても良い。
【００５２】
また、前記実施形態では、電池消耗および、位置センサ７の故障を、三秒ごとに秒針を一気に三秒動かす動作で使用者に異常を知らせる手法をとっているが、異常を知らせずに、通常運針でも構わない。この場合、電波修正時計でありながら時刻が修正されていないことから、利用者は異常の発生を認識することができる。
また、光量制御部８の構成は、前記実施形態に限らず、例えば、電源の出力を制御するなど、発光素子７１に供給される電力を調節できるものであれば良い。また、図３において受光素子７２、抵抗Ｒ１、Ｒ２は常に電源Ｖｏｃから電源が供給されているが、電源Ｖｏｃと受光素子７２、抵抗Ｒ１、Ｒ２間にスイッチ８１のようなスイッチを設け、針位置検出時のみＯＮになるように構成しても良い。
【００５３】
また、制御回路５４は、各種論理素子等のハードウェアで構成されたものや、ＣＰＵ（中央処理装置）、メモリ（記憶装置）等を備えたコンピュータ（マイコン）を電波修正時計１内に設け、このコンピュータに所定のプログラムやデータ（各記憶部に記憶されたデータ）を組み込んで各手段を実現させるように構成したものでもよい。
例えば、電波修正時計１内にＣＰＵやメモリを配置してコンピュータとして機能できるように構成し、このメモリに所定の制御プログラムやデータをインターネット等の通信手段や、ＣＤ−ＲＯＭ、メモリカード等の記録媒体を介してインストールし、このインストールされたプログラムでＣＰＵ等を動作させて、各手段を実現させればよい。
なお、電波修正時計１に所定のプログラム等をインストールするには、その電波修正時計１にメモリカードやＣＤ−ＲＯＭ等を直接差し込んで行ってもよいし、これらの記憶媒体を読み取る機器を外付けで電波修正時計１に接続してもよい。さらには、ＬＡＮケーブル、電話線等を電波修正時計１に接続して通信によってプログラム等を供給しインストールしてもよいし、アンテナ２１を備えていることから無線によってプログラムを供給してインストールしてもよい。
【００５４】
このような記録媒体やインターネット等の通信手段で提供される制御プログラム等を電波修正時計１に組み込めば、プログラムの変更のみで針位置検出処理や初期位置検出処理における動作の変更を実現できるため、工場出荷時あるいは利用者が希望する制御プログラムを選択して組み込むこともできる。この場合、プログラムの変更のみで針位置検出処理動作の異なる各種の電波修正時計１を製造できるため、部品の共通化等が図れ、バリエーション展開時の製造コストを大幅に低減できる。
また、本発明の電波修正時計１は、腕時計や懐中時計等の携帯時計、掛時計や置時計等の設置型時計等、様々な時計に適用できる。
【００５５】
【発明の効果】
以上に述べたように、本発明の電波修正時計および電波修正時計の制御方法によれば、電力消費の軽減、または、指針の位置検出における精度を高めることができる。
【図面の簡単な説明】
【図１】本発明に係る電波修正時計の構成を示すブロック図である。
【図２】図１における制御部および時刻表示部、針位置検出部の構成を示すブロック図である。
【図３】図１および図２における針位置検出部の回路図である。
【図４】本発明の実施形態における電波修正時計の針位置検出動作を説明するフローチャートである。
【図５】本発明の実施形態における電波修正時計の針位置の修正動作を説明するフローチャートである。
【符号の説明】
１…電波修正時計、２…受信手段としての受信部、３…基準信号生成手段としての基準信号生成部、４…時刻表示手段としての時刻表示部、６…針位置検出手段としての針位置検出部、８…光量制御手段としての光量制御部、５２…現時刻修正手段としての時刻カウンタ制御回路、５４…制御手段としての制御回路。
【図１】
2004279033.tif 000003
【図２】
2004279033.tif 000004
【図３】
2004279033.tif 000005
【図４】
2004279033.tif 000006
【図５】
2004279033.tif 000007